(57)【要約】【課題】異なるフォーマットのＡＶデータを著作権保護を図りつつ送受信可能なＡＶ送信装置、ＡＶ受信装置及びＡＶ通信システムを提供する。【解決手段】本発明に係るＡＶ通信システムは、無線ＡＶ送信装置１からのＡＶデータを無線ネットワーク２を介して受信する無線ＡＶ受信装置３とを備え、無線ＡＶ送信装置用の無線ＬＡＮ−ＬＳＩは、ホストＩ／Ｆ部１１と、セレクタ１２と、ＲＴＰ／ＩＰ処理部１３と、１３９４エミュレーション処理部１４と、ＩＥＣ６１８８３／１３９４フレーム処理部１５と、ＡＶ／Ｃフィルタ部１６と、第１のＤＴＣＰ  ＡＫＥ処理部１７と、第２のＤＴＣＰ  ＡＫＥ処理部１８と、ＤＴＣＰ暗号化処理部１９と、イーサフレーム化部２１と、多重化部２０と、無線ＬＡＮ処理部２２と、無線ＬＡＮ  Ｉ／Ｆ部２３とを有する。ＲＴＰ／ＵＤＰ／ＩＰを用いた伝送方式とＩＥＥＥ１３９４エミュレーションによる伝送方式のいずれで送信されたＡＶデータであっても、著作権保護を図りつつ受信でき、ＡＶデータの有効利用が図れる。【選択図】  図３
2004193791.tif 000002
【特許請求の範囲】
【請求項１】
入力ＡＶデータに対して、転送プロトコルとしてインターネットプロトコル（ＩＰ）上の転送プロトコルを用いて、ＩＰパケット化処理を施したパケットを生成するＩＰパケット化処理手段と、
前記入力ＡＶデータに対して、ＩＰ上の転送プロトコルを用いずにイーサネット（登録商標）フレーム化するための処理を施したイーサネットペイロードを生成するイーサ直載処理手段と、
前記ＩＰパケット化処理手段で生成されるパケット及び前記イーサ直載処理手段で生成されるパケットに対して、それぞれ共通の著作権保護方式にて暗号化を施して暗号化データを生成する暗号化手段と、
前記暗号化データをそれぞれイーサネットフレームに変換するイーサフレーム変換手段と、を備えることを特徴とするＡＶ送信装置。
【請求項２】
前記イーサ直載処理手段は、無線ＬＡＮ上にＩＥＥＥ１３９４をエミュレーションするためのため、前記入力ＡＶデータをＩＥＥＥ１３９４のチャネル上にマッピングしたデータをイーサネットペイロードとして生成する機能を有することを特徴とする、請求項１のＡＶ送信装置。
【請求項３】
ＡＶデータを出力するＡＶ供給装置と、
前記ＡＶ供給装置から出力されたＡＶデータを無線ＬＡＮに送出する制御を行う無線ＬＡＮ集積回路と、を備え、
前記無線ＬＡＮ集積回路は、前記ＩＰパケット化処理手段、前記イーサ直載処理手段、前記暗号化手段及び前記イーサフレーム変換手段を内蔵することを特徴とする請求項１に記載のＡＶ送信装置。
【請求項４】
受信データがＩＰ上の転送プロトコルを使ったＩＰパケットを含む第１のイーサネットフレームと、ＩＰ上の転送プロトコルを含まずにイーサネットフレーム化した第２のイーサネットフレームのいずれであるかを判定するフレーム種別判定手段と、
前記第１のイーサネットフレームに対応して、ＩＰ上の転送プロトコル処理と同期化処理を行ってＡＶデータを再構成するＩＰパケット処理手段と、
前記第２のイーサネットフレームに対応して、ＩＰ上の転送プロトコルを用いずに同期化処理を行ってＡＶデータを再構成するイーサ直載処理手段と、
前記パケット処理手段で処理されるデータと、前記イーサ直載処理手段で処理されるデータとに対して、共通して、所定の著作権保護方式にて復号化を施して復号化データを生成する復号化手段と、
を備えることを特徴とするＡＶ受信装置。
【請求項５】
受信データがＩＰ上の転送プロトコルを使ったフレームまたはＩＥＥＥ１３９４のエミュレーションを使ったフレームのいずれであるかを判定するフレーム種別判定手段と、
前記ＩＰ上の転送プロトコルを使ったフレームに対応して、ＩＰ上の転送プロトコル処理と同期化処理を行ってＡＶデータを再構成するＩＰパケット処理手段と、
前記ＩＥＥＥ１３９４のエミュレーションを使ったフレームに対応して、ＩＥＥＥ１３９４の同期化処理を行ってＡＶデータを再構成するＩＥＥＥ１３９４エミュレーション処理手段と、
前記ＩＰパケット処理で処理されるデータと、ＩＥＥＥ１３９４エミュレーション処理で処理されるデータに対して、共通して、所定の著作権保護方式にて復号化を施して復号化データを生成する復号化手段と、
を備えることを特徴とするＡＶ受信装置。
【請求項６】
無線ＬＡＮを介して、ＡＶデータを含む無線信号を受信し、受信したＡＶデータを出力する無線ＬＡＮ集積回路と、
前記無線ＬＡＮ集積回路から出力されたＡＶデータの復調処理又は蓄積を行うＡＶデータ処理部と、を備え、
前記無線ＬＡＮ集積回路は、前記フレーム種別判定手段、前記ＩＰパケット処理手段及び前記復号化手段と、前記イーサ直載処理手段または前記ＩＥＥＥ１３９４エミュレーション処理手段と、を内蔵することを特徴とする請求項４又は５に記載のＡＶ受信装置。
【請求項７】
請求項１または２に記載のＡＶ送信装置と、請求項４または５に記載のＡＶ受信装置と、前記ＡＶ送信装置及び前記ＡＶ受信装置の間に接続される無線ネットワークを備え、
前記ＡＶ送信装置から前記ＡＶ受信装置に、前記無線ネットワークを介してＡＶデータを送信することを特徴とするＡＶ通信システム。
【請求項８】
計算機を、
入力ＡＶデータに対して、転送プロトコルとしてインターネットプロトコル（ＩＰ）上の転送プロトコルＲＴＰを用いて、ＩＰパケット化処理を施したパケットを生成するＩＰパケット化処理手段と、
前記入力ＡＶデータに対して、ＩＰ上の転送プロトコルを用いずにイーサネットフレーム化するための処理を施したイーサネットペイロードパケットを生成するイーサ直載裁処理手段と、
前記ＩＰパケット化処理手段で生成されるたパケット及び前記イーサ直載裁処理手段で生成されるたパケットに対して、それぞれ共通の著作権保護方式にて暗号化を施して暗号化データを生成する暗号化手段と、
前記暗号化データをそれぞれイーサネットフレームに変換するイーサフレーム変換手段と、して機能させるためのＡＶ送信プログラム。
【請求項９】
計算機を、
受信データがＩＰ上の転送プロトコルを使ったＩＰパケットを含む第１のイーサネットフレームと、ＩＰ上の転送プロトコルを含まずにイーサネットフレーム化した第２のイーサネットフレームのいずれであるかを判定するフレーム種別判定手段と、
前記第１のイーサネットフレームに対応して、ＩＰ上の転送プロトコル処理と同期化処理を行ってＡＶデータを再構成するＩＰパケット処理手段と、
前記第２のイーサネットフレームに対応して、ＩＰ上の転送プロトコルを用いずに同期化処理を行ってＡＶデータを再構成するイーサ直載処理手段と、
前記パケット処理手段で処理されるデータと、前記イーサ直載処理手段で処理されるデータとに対して、共通して、所定の著作権保護方式にて復号化を施して復号化データを生成する復号化手段と、
して機能させるためのＡＶ受信プログラム。
【請求項１０】
計算機を、
受信データがＩＰ上の転送プロトコルを使ったフレームまたはＩＥＥＥ１３９４のエミュレーションを使ったフレームのいずれであるかを判定するフレーム種別判定手段と、
前記ＩＰ上の転送プロトコルを使ったフレームに対応して、ＩＰ上の転送プロトコル処理と同期化処理を行ってＡＶデータを再構成するＩＰパケット処理手段と、
前記ＩＥＥＥ１３９４のエミュレーションを使ったフレームに対応して、ＩＥＥＥ１３９４の同期化処理を行ってＡＶデータを再構成するＩＥＥＥ１３９４エミュレーション処理手段と、
前記ＩＰパケット処理で処理されるデータと、ＩＥＥＥ１３９４エミュレーション処理で処理されるデータに対して、共通して、所定の著作権保護方式にて復号化を施して復号化データを生成する復号化手段と、
して機能させるためのＡＶ受信プログラム。
【発明の詳細な説明】
【０００１】
【発明の属する技術分野】
本発明は、著作権保護を図りつつＡＶデータを送受信するＡＶ送信装置、ＡＶ受信装置、ＡＶ通信システム、ＡＶ送信プログラム及びＡＶ受信プログラムに関する。
【０００２】
【従来の技術】
デジタル情報家電と呼ばれる商品が普及しつつある。これらは、デジタル放送の開始などに伴い、さらに普及が期待される商品群であり、デジタル放送対応テレビや、セットトップボックス、デジタルＶＴＲ、ＤＶＤプレーヤ、ハードディスクレコーダ等、デジタルデータやデジタルコンテンツを扱う商品すべてが対象となる。
【０００３】
デジタルデータやデジタルコンテンツは、複製しても品質が劣化せず、複製も容易に行えるため、予め著作権保護に対する対策を考慮しておく必要がある。例えば、デジタルＡＶ機器同士をつなぐデジタルネットワークであるＩＥＥＥ１３９４には、認証・鍵交換機構や、データの暗号化の機能が兼ね備えられている。
【０００４】
ここで、ある送信装置から、著作権保護が必要なＡＶデータを、受信装置に転送する場合を考える。ここで注意すべきは、個人（あるいは、拡大解釈して家族）の楽しむ範囲内でＡＶデータのやり取りを行うのが著作権保護の前提であり、第三者とのＡＶデータのやりとりは（著作権者の許可が伴わない限り）行われるべきでは無いという点である。
【０００５】
第三者とのデータのやり取りは、インターネット等の公衆網を介して行い、個人や家庭内でのデータのやり取りは、ＩＥＥＥ１３９４や無線ネットワーク等の閉じたホームネットワーク内で行われることが多い。
【０００６】
ＩＥＥＥ１３９４は、デジタルＡＶ機器同士を接続する代表的なデジタルネットワークであり、認証・鍵交換機構や、データの暗号化の機能を兼ね備えている。この仕組みをＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）と言う。詳細は、ｈｔｔｐ：／／ｗｗｗ．ｄｔｌａ．ｏｒｇに詳しいが、基本的にはＩＥＥＥ１３９４のＬＳＩ内に、上記暗号化や認証・鍵交換の仕組みを持ち、保護すべきＡＶデータをＩＥＥＥ１３９４を介して送受信する場合に、ＩＥＥＥ１３９４に送信する直前にて暗号化を施し、受信直後に復号化を施す仕組みを兼ね備えていることが多い（特許文献１を参照）。
【０００７】
今後注目すべきは家庭内無線ＬＡＮである。無線ＬＡＮの規格の１つであるＩＥＥＥ８０２．１１規格は、オフィス／家庭において急速に普及しており、今後、無線ＬＡＮ上で保護が必要なＡＶデータのやり取りを行う可能性はきわめて高い。
【０００８】
この種の無線ＬＡＮにおいても、著作権保護の仕組みを検討する必要があり、この仕組みは、ＩＥＥＥ１３９４の経験則から言って、無線ＬＡＮのＬＳＩ内に収容される可能性が高い。
【０００９】
しかしながら、今までの無線ＬＡＮは、基本的にはパーソナルコンピュータ（以下、ＰＣ）用ネットワークを対象としていた。ＰＣ用ネットワークでのＡＶデータ転送方式のデファクトスタンダードはＲＴＰ（Ｒｅａｌｔｉｍｅ  Ｔｒａｎｓｐｏｒｔ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）である（非特許文献１参照）。主なパソコンのＡＶアプリケーションは、転送プロトコルとしてＲＴＰを用いている。
【００１０】
【特許文献１】
特開２００１−３０８７７５公報
【非特許文献１】
ｈｔｔｐ：／／ｗｗｗ．ｉｅｔｆ．ｏｒｇにて取得可能に開示されている文書
【００１１】
【発明が解決しようとする課題】
一方、無線ＬＡＮをＡＶネットワークに適用する場合、ＩＥＥＥ８０２．１１標準化委員会では「ＩＥＥＥ１３９４エミュレーション」なる方法を検討中である。即ち、有線ネットワークのデジタルＡＶネットワークのデファクトスタンダードであるＩＥＥＥ１３９４を、無線ＬＡＮ上にエミュレートしよう、という規格であり、これが完成すると、従来のＩＥＥＥ１３９４と同じく、無線ＬＡＮ上のＩＥＥＥ１３９４同期チャネル上の転送という形で、デジタルＡＶデータの転送が行われることになる。いわゆる、デジタルＡＶ機器（テレビ等）の多くは、この方法を採用する可能性が高い。また、転送するデジタルＡＶデータを直接イーサネットフレームや無線ＬＡＮフレームにマッピングする方法も考えられよう。
【００１２】
このように、同一の無線ＬＡＮにおいても、ＡＶデータ転送方式には複数の方式が考えられる。このような状況下で、いかに効率的な著作権保護のしくみを無線ＬＡＮのＬＳＩ中に取り入れるかについては、無線ＬＡＮの応用範囲が極めて広いと考えられている状況からも、非常に重要である。
【００１３】
本発明は、このような点に鑑みてなされたものであり、その目的は、異なるフォーマットのＡＶデータを著作権保護を図りつつ送受信可能なＡＶ送信装置、ＡＶ受信装置、ＡＶ通信システム、ＡＶ送信プログラム及びＡＶ受信プログラムを提供することにある。
【００１４】
【課題を解決するための手段】
上述した課題を解決するために、本発明に係る入力ＡＶデータに対して、転送プロトコルとしてインターネットプロトコル（ＩＰ）上の転送プロトコルを用いて、ＩＰパケット化処理を施したパケットを生成するＩＰパケット化処理手段と、前記入力ＡＶデータに対して、ＩＰ上の転送プロトコルを用いずにイーサネットフレーム化するための処理を施したイーサネットペイロードを生成するイーサ直載処理手段と、前記ＩＰパケット化処理手段で生成されるパケット及び前記イーサ直載処理手段で生成されるパケットに対して、それぞれ共通の著作権保護方式にて暗号化を施して暗号化データを生成する暗号化手段と、前記暗号化データをそれぞれイーサネットフレームに変換するイーサフレーム変換手段と、を備える。
【００１５】
また、本発明に係るＡＶ受信装置は、受信データがＩＰ上の転送プロトコルを使ったＩＰパケットを含む第１のイーサネットフレームと、ＩＰ上の転送プロトコルを含まずにイーサネットフレーム化した第２のイーサネットフレームのいずれであるかを判定するフレーム種別判定手段と、前記第１のイーサネットフレームに対応して、ＩＰ上の転送プロトコル処理と同期化処理を行ってＡＶデータを再構成するＩＰパケット処理手段と、前記第２のイーサネットフレームに対応して、ＩＰ上の転送プロトコルを用いずに同期化処理を行ってＡＶデータを再構成するイーサ直載処理手段と、前記パケット処理手段で処理されるデータと、前記イーサ直載処理手段で処理されるデータとに対して、共通して、所定の著作権保護方式にて復号化を施して復号化データを生成する復号化手段と、を備える。
【００１６】
また、本発明に係るＡＶ受信装置は、受信データがＩＰ上の転送プロトコルを使ったフレームまたはＩＥＥＥ１３９４のエミュレーションを使ったフレームのいずれであるかを判定するフレーム種別判定手段と、前記ＩＰ上の転送プロトコルを使ったフレームに対応して、ＩＰ上の転送プロトコル処理と同期化処理を行ってＡＶデータを再構成するＩＰパケット処理手段と、前記ＩＥＥＥ１３９４のエミュレーションを使ったフレームに対応して、ＩＥＥＥ１３９４の同期化処理を行ってＡＶデータを再構成するＩＥＥＥ１３９４エミュレーション処理手段と、前記ＩＰパケット処理で処理されるデータと、ＩＥＥＥ１３９４エミュレーション処理で処理されるデータに対して、共通して、所定の著作権保護方式にて復号化を施して復号化データを生成する復号化手段と、を備える。
【００１７】
【発明の実施の形態】
以下、本発明に係るＡＶ送信装置、ＡＶ受信装置及びＡＶ通信システムについて、図面を参照しながら具体的に説明する。
【００１８】
（第１の実施形態）
図１は本発明に係るＡＶ通信システムの第１の実施形態の全体構成を示すブロック図である。図１のＡＶ通信システムは、無線でＡＶデータを送信する無線ＡＶ送信装置１と、無線ＡＶ送信装置１からのＡＶデータを無線ネットワーク２を介して受信する無線ＡＶ受信装置３とを備えている。
【００１９】
図１の無線ネットワーク２は、家庭内のネットワークを念頭に置いているが、必ずしも無線である必要はなく、イーサネット等の有線ネットワークでもよいし、無線ネットワーク２と有線ネットワークがブリッジ接続された混在ネットワークでもよい。
【００２０】
無線ネットワーク２は、例えば、ＩＥＥＥ８０２．１１ａやＩＥＥＥ８０２．１１ｂ等の無線ＬＡＮである。
【００２１】
無線ＡＶ送信装置１は、セットトップボックスやＤＶＤプレーヤ等のＡＶデータのソースデバイスとなりうる機器であり、無線ＡＶ受信装置３は、テレビ等の表示装置、スピーカ、あるいは録画・録音装置といった、ＡＶデータのシンクデバイスとなりえる機器である。
【００２２】
図２は本発明に係る無線ＡＶ送信装置１の内部構成の一例を示すブロック図である。図示のように、無線ＡＶ送信装置１は、無線ＬＡＮ−ＬＳＩ４とＭＰＥＧ処理部５とを有する。ＭＰＥＧ処理部５は、例えば、映像信号をＭＰＥＧエンコードする機能を持つＭＰＥＧエンコーダや、映像信号（例えばテレビ放送）を受信する機能を持つＭＰＥＧ受信部や、映像信号を蓄積する機能（例えばハードディスクやＤＶＤ）を持つＭＰＥＧ蓄積部などで構成される。また、ＭＰＥＧ処理部５は、無線ＬＡＮ−ＬＳＩ４に対して、著作権保護を行なうべきデジタルＡＶデータを送信する機能も持っている。
【００２３】
無線ＬＡＮ−ＬＳＩ４は、無線ＬＡＮの送受信制御を行う機能の他に、著作権保護やＡＶデータのフォーマット処理を行う機能も持っている。
【００２４】
無線ＬＡＮ上で、インターネットプロトコル上の転送プロトコルを使って、ＡＶデータを転送する方法には、ＲＴＰ（Ｒｅａｌ  Ｔｉｍｅ  Ｔｒａｎｓｐｏｒｔ  Ｐｒｏｔｏｃｏｌ）を使う方法、ＨＴＴＰ（Ｈｙｐｅｒ  Ｔｅｘｔ  Ｔｒａｎｓｆｅｒ  Ｐｒｏｔｏｃｏｌ）、あるいはＦＴＰ（Ｆｉｌｅ  Ｔｒａｎｓｆｅｒ  Ｐｒｏｔｏｃｏｌ）１などが考えられる。また、そのそれぞれで、ＵＤＰ（Ｕｓｅｒ  Ｄａｔａｇｒａｍ  Ｐｒｏｔｏｃｏｌ）やＴＣＰ（Ｔｒａｎｓｍｉｓｓｉｏｎ  Ｃｏｎｔｒｏｌ  Ｐｒｏｔｏｃｏｌ）を使う方法がある。どの組合せにて行っても本特許の有効性は同様であるが、本実施例においてはＲＴＰとＵＤＰを使って、デジタルＡＶデータを転送する場合を考えることにする。
【００２５】
本実施形態の無線ＬＡＮ−ＬＳＩ４は、無線ＬＡＮでのＡＶデータの送信方式として、（１）ＲＴＰパケットを用いて、ＵＤＰ／ＩＰ通信を行いながらＡＶデータの送受信を行なう方式と、（２）ＩＥＥＥ１３９４エミュレーションを用いて、ＩＥＥＥ１３９４の同期チャネルを使ってＡＶデータの送受信を行う方式とのいずれかを選択できるようにしている。
【００２６】
図３は図２の無線ＬＡＮ−ＬＳＩの内部構成の一例を示すブロック図である。図３の無線ＬＡＮ−ＬＳＩは、ホストＩ／Ｆ部１１と、セレクタ１２と、ＲＴＰ／ＩＰ処理部１３と、１３９４エミュレーション処理部１４と、ＩＥＣ６１８８３／１３９４フレーム処理部１５と、ＡＶ／Ｃフィルタ部１６と、第１のＤＴＣＰ  ＡＫＥ処理部１７と、第２のＤＴＣＰ  ＡＫＥ処理部１８と、ＤＴＣＰ暗号化処理部１９と、多重化部２０と、イーサネットフレーム化部２１と、無線ＬＡＮ処理部２２と、無線ＬＡＮ  Ｉ／Ｆ部２３とを有する。
【００２７】
ホストＩ／Ｆ部１１は、ＭＰＥＧ処理部５からのＡＶデータを受信する。セレクタ１２は、受信されたＡＶデータに対してＲＴＰ／ＩＰ処理を行う場合には、ＡＶデータをＲＴＰ／ＩＰ処理部１３にルーティングし、受信されたＡＶデータに対してＩＥＥＥエミュレーション処理を行う場合には、ＡＶデータを１３９４エミュレーション処理部１４にルーティングする。
【００２８】
なお、セレクタ１２は、ＡＶデータをＲＴＰ／ＩＰ処理部１３と１３９４エミュレーション処理部１４の双方に同時にルーティングしてもよい。
【００２９】
ＲＴＰ／ＩＰ処理部１３は、受信されたＡＶデータに対して、転送プロトコルとしてＲＴＰを用いて、ＲＴＰ／ＵＤＰ／ＩＰ処理を施したＡＶパケットを生成する。
【００３０】
１３９４エミュレーション処理部１４は、ＩＥＣ６１８８３／１３９４フレーム処理部１５と協調し、ＩＥＥＥ１３９４エミュレーションを用いて、ＡＶデータをＩＥＥＥ１３９４の同期チャネル上にマッピングしたＡＶパケットを生成する。
【００３１】
第１のＤＴＣＰ  ＡＫＥ処理部１７は、ＲＴＰ／ＵＤＰ／ＩＰ処理を施したＡＶパケットを暗号化するための認証鍵交換を行うと共に暗号鍵を生成し、第２のＤＴＣＰ  ＡＫＥ処理部１８は、ＩＥＥＥ１３９４の同期チャネル上にマッピングしたＡＶパケットを暗号化するための認証鍵交換を行うと共に暗号鍵を生成する。
【００３２】
ＤＴＣＰ暗号化処理部１９は、ＲＴＰ／ＩＰ処理部１３で生成されたＡＶパケットを第１のＤＴＣＰ  ＡＫＥ処理部１７で生成された暗号鍵を用いて暗号化して第１の暗号化データを生成するとともに、ＩＥＣ６１８８３／１３９４フレーム処理部１５で生成されたＡＶパケットを第２のＤＴＣＰ  ＡＫＥ処理部１８で生成された暗号鍵を用いて暗号化して第２の暗号化データを生成する。この際の暗号化のためのモジュールとして、共通のモジュールを利用しているのが本特許の特徴となっている。
【００３３】
多重化部２０はこれらのイーサネットフレームを多重化する。多重化されたフレームは、イーサネットフレーム化部２１でイーサネットフレーム化され、更に無線ＬＡＮ処理部２２でＩＥＥＥ８０２．１１処理が行われた後、無線ＬＡＮ  Ｉ／Ｆ部２３から送信される。
【００３４】
次に、セレクタ１２がＡＶデータをＲＴＰ／ＩＰ処理部１３にルーティングした場合の無線ＡＶ送信装置１の処理動作を説明する。
【００３５】
ＲＴＰ／ＩＰ処理部１３は、何らかの形で外部から通知された、送信側／受信側のＵＤＰポート番号と宛先アドレス等に基づいて、ＡＶデータに対してＲＴＰ／ＵＤＰ／ＩＰ処理を行って、ＲＴＰ／ＵＤＰ／ＩＰパケットを生成する。
【００３６】
ＲＴＰ／ＩＰ処理部１３で生成されたＲＴＰ／ＵＤＰ／ＩＰパケットは、ＤＴＣＰ暗号化処理部１９に入力され、Ｍ６暗号等を用いて、例えばＲＴＰ／ＵＤＰ／ＩＰパケットのペイロードの一部、又はペイロード全体を暗号化する。
【００３７】
ＤＴＣＰ暗号化処理部１９で暗号化して生成されるＡＶパケットのＴＴＬ（Ｔｉｍｅ  Ｔｏ  Ｌｉｖｅ）フィールドは「１」に設定される。これにより、ルータを超えたルーティング（家庭外へのＡＶデータの流出）を防止できる。
【００３８】
ＤＴＣＰ暗号化処理部１９は、第１のＤＴＣＰ  ＡＫＥ処理部１７で生成された暗号鍵を用いて、ＲＴＰ／ＩＰ処理部１３で生成されたＲＴＰ／ＵＤＰ／ＩＰパケットの暗号化を行う。このため、ＤＴＣＰ暗号化処理部１９で暗号化処理を行う前に、第１のＤＴＣＰ  ＡＫＥ処理部１７で認証鍵交換を行っておく必要がある。
【００３９】
第１のＤＴＣＰ  ＡＫＥ処理部１７は、無線ＡＶ受信装置３との間でＤＴＣＰの認証鍵交換を行う。このとき、ＩＰパケットではなく、イーサネットフレームを用いて認証鍵交換を行ってもよい。イーサネットフレームを用いてＤＴＣＰの認証鍵交換を行うことにより、認証鍵交換が及ぶ範囲がイーサネットフレームが届く範囲（すなわち、ルータを超えない範囲、より具体的には宅内の無線ネットワーク２やブリッジ接続されたイーサネット）の範囲に制限できる。また、ＴＴＬ＝１で限定されたＩＰパケットを用いて認証鍵交換を行っても良い。認証鍵交換に成功した場合には、認証鍵交換の結果である鍵の値などをＤＴＣＰ暗号化処理部１９に送る。
【００４０】
ＤＴＣＰ暗号化処理部１９で暗号化されたＲＴＰ／ＵＤＰ／ＩＰパケットは、多重化部２０を通して、イーサフレーム化部２１にて、イーサネットフレームに変換される。
【００４１】
次に、セレクタ１２がＡＶデータを１３９４エミュレーション処理部１４にルーティングした場合の無線ＡＶ送信装置１の処理動作を説明する。
【００４２】
１３９４エミュレーション処理部１４は、ＡＶデータが同期チャネルを介して送信されるデータ（例えば、ＡＶデータ）の場合にはこのデータをＩＥＣ６１８８３／１３９４フレーム処理部１５に送り、非同期チャネルを通して送信されるデータ（例えば、ＡＶ制御データ）の場合にはこのデータをＡＶ／Ｃフィルタ部１６にそれぞれルーティングする。
【００４３】
ＩＥＣ６１８８３とは、ＭＰＥＧ２等のＡＶデータをＩＥＥＥ１３９４上で伝送する場合における伝送フォーマットを定義した規格である。ＩＥＣ６１８８３／１３９４フレーム処理部１５は、入力ＡＶデータを、いわゆるＩＥＣ６１８８３フォーマット、及びＩＥＥＥ１３９４フォーマットに整形する。
【００４４】
ＩＥＣ６１８８３／１３９４フレーム処理部１５から出力されたＩＥＣ６１８８３／ＩＥＥＥ１３９４パケットは、ＤＴＣＰ暗号化処理部１９に入力され、Ｍ６暗号等を用いて、例えばＩＥＣ６１８８３パケットのペイロードに対して暗号化処理が施される。  ＤＴＣＰ暗号化処理部１９は、第２のＤＴＣＰ  ＡＫＥ処理部１８で生成された暗号鍵を用いて、ＩＥＣ６１８８３パケットの暗号化を行う。このため、ＤＴＣＰ暗号化処理部１９で暗号化処理を行う前に、第２のＤＴＣＰ  ＡＫＥ処理部１８で認証鍵交換を行っておく必要がある。
【００４５】
第２のＤＴＣＰ  ＡＫＥ処理部１８は、ＤＴＣＰの認証鍵交換を、ＩＥＥＥ１３９４のＡＶ／Ｃコマンドのセキュリティコマンドを用いて、ＩＥＥＥ１３９４エミュレーション上にて行う。この認証鍵交換は、無線ＬＡＮの届く範囲でしか行えないため、宅内であることを保証した通信を行うことができる。
【００４６】
ＤＴＣＰ暗号化処理部１９で暗号化されたＩＥＥＥ１３９４フレームは、、多重化部２０で多重化された後、イーサフレーム化部２１でイーサネットフレーム化され、更に無線ＬＡＮ処理部２２で８０２．１１処理や８０２．１１ｅ処理が行われた後、無線ＬＡＮＩ／Ｆ部２３を介して、無線ネットワーク２（無線ＬＡＮ）上に送信される。
【００４７】
図４は、本実施形態の無線ＡＶ送信装置１で生成される、ＲＴＰ／ＵＤＰ／ＩＰパケットを含むイーサネットフレームのデータ構成を示す図である。ＲＴＰ／ＩＰ処理部１３は、図４（ａ）に示すように、ＡＶデータにＲＴＰ／ＵＤＰ／ＩＰヘッダを付加する。
【００４８】
次に、ＤＴＣＰ暗号化処理部１９は、図４（ｂ）に示すように、ＡＶデータを暗号化した暗号化データ［ＡＶ］ｋを生成するとともに、必要に応じて著作権保護のための関連情報ｃｐを付加する。
【００４９】
次に、イーサフレーム化部２０は、図４（ｃ）に示すように、イーサネットフレームであることを示す情報Ｅｔｈｅｒ（イーサネットヘッダ）を付加する。
【００５０】
一方、図５は、図１の無線ＡＶ送信装置１で生成される、ＩＥＥＥ１３９４エミュレーションによるイーサネットフレームのデータ構成を示す図である。
【００５１】
ＩＥＣ６１８８３／１３９４フレーム処理部１５にて図５（ａ）のようにＩＥＣ６１８８３／ＩＥＥＥ１３９４フォーマットに整形されたＡＶデータに対して、ＤＴＣＰ暗号化処理部１９は、図５（ｂ）に示すように、ＡＶデータを暗号化した暗号化データ［ＡＶ］ｋを生成するとともに、著作権保護のための関連情報ｃｐを付加し、イーサネットフレーム化する。
【００５２】
図６は図１の無線ＡＶ受信装置３の内部構成の一例を示すブロック図である。図示のように、無線ＡＶ受信装置３は、無線ＬＡＮ−ＬＳＩ３１と、受信されたＭＰＥＧ形式のＡＶデータをデコードするＭＰＥＧデコーダ３２と、受信されたＡＶデータを表示部３３に表示する制御を行う表示制御部３４とを有する。
【００５３】
無線ＬＡＮ−ＬＳＩ３１は、無線ＬＡＮの送受信制御、著作権保護のための処理、及びＡＶデータのフォーマット処理などを行う。無線ＬＡＮ−ＬＳＩ３１は、無線ＡＶ受信装置１内の無線ＬＡＮ−ＬＳＩ４と同様に、（１）ＲＴＰ／ＩＰ伝送方式と（２）１３９４エミュレーション方式とに対応している。もちろん、（１）はＨＴＴＰ、あるいはＨＴＴＰストリーミング、ＦＴＰ等の、他のＩＰ上の転送プロトコルに対応していても良い。
【００５４】
図７は図２の無線ＬＡＮ−ＬＳＩの内部構成の一例を示すブロック図である。図７の無線ＬＡＮ−ＬＳＩは、無線ＬＡＮ  Ｉ／Ｆ部４１と、無線ＬＡＮ処理部４２と、イーサフレーム処理部４３と、判別処理部４４と、ＩＥＣ６１８８３／１３９４フレーム処理部４５と、第１のＤＴＣＰ  ＡＫＥ処理部４６と、第２のＤＴＣＰ  ＡＫＥ処理部４７と、ＤＴＣＰ復号化処理部４８と、ＲＴＰ／ＩＰ処理部４９と、ＡＶ／Ｃフィルタ部５１と、１３９４エミュレーション処理部５２と、マルチプレクサ（ＭＵＸ）５３と、ホストＩ／Ｆ部５４とを有する。
【００５５】
無線ＬＡＮ処理部４２は、無線ＬＡＮの送受信制御を行う。イーサフレーム処理部４３は、イーサネットフレームの受信処理を行う。判別処理部４４は、受信されたＡＶパケットがＤＴＣＰ認証鍵交換を行うためのフレームか、ＲＴＰ／ＵＤＰ／ＩＰパケットを含むフレームか、ＤＴＣＰ認証鍵交換を必要とする１３９４非同期パケットを含む１３９４エミュレーションを含んだフレームか、ＩＥＣ６１８８３フレームを含む１３９４エミュレーションを含んだフレームかを判別し、これらフレームを別個にルーティングする。
【００５６】
ＲＴＰ／ＩＰ処理部４９は、受信したＲＴＰ／ＵＤＰ／ＩＰパケットに対して同期処理を行ってＡＶデータを再構成する。ＩＥＣ６１８８３／１３９４フレーム処理部４５は、受信したＩＥＣ６１８８３／ＩＥＥＥ１３９４パケットに対して同期処理を行ってＡＶデータを再構成する。その際に、内部の暗号化されたＡＶデータの復号化処理は、それぞれＤＴＣＰ復号化処理部４８を共通して用いる。
【００５７】
ＤＴＣＰ復号化処理部４８は、第１のＤＴＣＰ  ＡＫＥ処理部４６で生成された暗号鍵を用いてＲＴＰ／ＵＤＰ／ＩＰパケット（のペイロード）を復号し、かつ第２のＤＴＣＰ  ＡＫＥ処理部４７で生成された暗号鍵を用いてＩＥＣ６１８８３パケット（のペイロード）を復号する。
【００５８】
ＡＶ／Ｃフィルタ部５１は、受信されたＡＶパケットが１３９４エミュレーションフレームであり、ＡＶ／ＣパケットがＤＴＣＰ認証鍵交換のためのセキュリティコマンドであった場合に、このコマンドを抽出して第２のＤＴＣＰ  ＡＫＥ処理部４７に送る。
【００５９】
なお、第２のＤＴＣＰ  ＡＫＥ処理部４７は、第１のＤＴＣＰ  ＡＫＥ処理部４６とハードウェアまたはソフトウェアを共通化してもよい。
【００６０】
図８は、無線ＡＶ送信装置１から無線ＡＶ受信装置３にＲＴＰ／ＩＰを用いてＡＶデータを転送する場合の処理手順を示すシーケンス図である。まず、無線ＡＶ受信装置３から無線ＡＶ送信装置１に対して、再生コマンド等のＡＶ制御コマンドをＴＣＰ／ＩＰにて送信する（ステップＳ１）。
【００６１】
次に、無線ＡＶ送信装置１は、無線ＡＶ受信装置３からの制御コマンドで指示されたＡＶコンテンツのＡＶデータを無線ＡＶ受信装置３に送信する。送信するＡＶデータが著作権保護を必要とするデータの場合には、そのＡＶデータをＤＴＣＰ暗号化して送信する（ステップＳ２，Ｓ３）。
【００６２】
仮に、ＡＶデータを、送信ポート番号＝＃ｘ、受信ポート番号＝＃ｙ、ＴＴＬ＝１で送信するものとする。
【００６３】
このＡＶデータを受信した無線ＡＶ受信装置３は、このＡＶデータが著作権保護のために暗号化されていることをこの時点で把握する。
【００６４】
無線ＡＶ受信装置３は、特定のＩＰアドレス及びポート番号（あるいは、ＳＳＲＣ等のＲＴＰコネクションを特定できる番号）を指定し、認証鍵交換のための暗号鍵を要求するパケットを無線ＡＶ送信装置１に送信する（ステップＳ４）。この認証鍵交換のステップのＩＰパケットも、ＴＴＬ＝１で送信されてもよい（ＩＰパケットを用いずに、イーサネットフレームで送信されても良い）。
【００６５】
この要求に応じる旨の返答が無線ＡＶ送信装置１からあった場合には、両者間で認証鍵交換が行われ（ステップＳ５）、ＡＶ受信装置は復号鍵を入手する（ステップＳ６）。そして、この復号鍵を用いて、無線ＡＶ受信装置３は、ＲＴＰ／ＩＰを用いて伝送されたＡＶデータを復号する。
【００６６】
一方、図９は、無線ＡＶ送信装置１から無線ＡＶ受信装置３に１３９４エミュレーションを用いてＡＶデータを転送する場合の処理手順を示すシーケンス図である。まず、無線ＡＶ受信装置３から無線ＡＶ送信装置１に対して、再生コマンド等のＡＶ制御コマンドをＡＶ／Ｃコマンドにて送信する（ステップＳ１１）。
【００６７】
次に、無線ＡＶ送信装置１は、無線ＡＶ受信装置３からの制御コマンドで指示されたＡＶコンテンツのＡＶデータを１３９４同期パケットにて無線ＡＶ受信装置３に送信する。送信するＡＶデータが著作権保護を必要とするデータの場合には、そのＡＶデータをＤＴＣＰ暗号化して送信する（ステップＳ１２，Ｓ１３）。
【００６８】
このＡＶデータを受信した無線ＡＶ受信装置３は、このＡＶデータが著作権保護のために暗号化されていることを、このＡＶデータを受信した時点で把握する。
【００６９】
無線ＡＶ受信装置３は、認証鍵交換のための暗号鍵を要求するパケットを１３９４非同期パケットにて無線ＡＶ送信装置１に送信する（ステップＳ１４）。
【００７０】
この要求に応じる旨の返答が無線ＡＶ送信装置１からあった場合には、両者間で認証鍵交換が行われ（ステップＳ１５）、無線ＡＶ受信装置３は復号鍵を入手する（ステップＳ１６）。そして、この復号鍵を用いて、無線ＡＶ受信装置３は、ＲＴＰ／ＩＰを用いて伝送されたＡＶデータを復号する。
【００７１】
このように、第１の実施形態では、ＲＴＰ／ＵＤＰ／ＩＰを用いた伝送方式とＩＥＥＥ１３９４エミュレーションによる伝送方式のいずれで送信されたＡＶデータであっても、著作権保護を図りつつ受信できるようにしたため、ＡＶデータの有効利用が図れる。また、ＤＴＣＰ処理部が、ＲＴＰ／ＵＤＰ／ＩＰを用いる場合と、ＩＥＥＥ１３９４エミュレーションを用いる場合とで共通化されており、大幅なハードウエア、あるいはソフトウエアの共通化が図れ、処理の簡素化、あるいはコストダウンも図れる。
【００７２】
（第２の実施形態）
第２の実施形態は、ＲＴＰ／ＵＤＰ／ＩＰを用いた伝送方式と、ＩＰ上で定義された転送プロトコルや１３９４エミュレーションを用いずにＡＶデータを直接イーサネットフレーム化する伝送方式と、のいずれかでＡＶデータのやり取りを行うものである。
【００７３】
ＡＶ通信システムの第２の実施形態は、無線ＡＶ送信装置１内の無線ＬＡＮ−ＬＳＩ４と無線ＡＶ受信装置３内の無線ＬＡＮ−ＬＳＩ３１の内部構成が第１の実施形態と異なっているが、それ以外の構成は第１の実施形態と共通する。
【００７４】
図１０は無線ＡＶ送信装置１内の無線ＬＡＮ−ＬＳＩ４の第２の実施形態の内部構成を示すブロック図である。図１０では、図３と共通する構成部分には同一符号を付しており、以下では相違点を中心に説明する。
【００７５】
図１０の無線ＬＡＮ−ＬＳＩ４は、ＩＥＥＥ１３９４エミュレーションに関する処理を行わない代わりに、ＡＶデータを直接イーサネットフレーム化するための処理を行うイーサ直載処理部２５を有する。つまり、ＡＶデータをＩＰパケット化やＩＥＥＥ１３９４パケット化せずに、直接イーサネットフレーム上にＡＶデータを転送するためのプロトコルを定義して、その上で転送する方式である。なお、本実施形態ではイーサネットフレームにＡＶデータをマッピングする方式を例示しているが、無線ＬＡＮフレームにＡＶデータをマッピングする方式や、データリンクレイヤフレームにＡＶデータをマッピングする方式も考えられる。
【００７６】
セレクタ１２は、入力ＡＶデータをＲＴＰ／ＩＰ処理部１３に送るか、イーサ直載処理部２５に送るかを選択する。
【００７７】
ＲＴＰ／ＩＰ処理部１３にて生成されるＡＶパケットとイーサ直載処理部２５にて生成されるＡＶパケットは、いずれもＤＴＣＰ処理部２６のＤＴＣＰ暗号化処理部にて、ＤＴＣＰ暗号化処理が行われる。
【００７８】
ＤＴＣＰ暗号化処理部１９で暗号化されたＡＶパケットは、それぞれＲＴＰ／ＩＰ処理部１３、もしくはイーサ直載処理部２５からイーサフレーム化部２７に入力されて、イーサネットフレームが生成される。
【００７９】
なお、ＤＴＣＰ処理部２６内には、第１のＤＴＣＰ−ＡＫＥ処理部があり、ここで受信側装置との間で必要な認証鍵交換処理を行う。
【００８０】
図１１は、図１の無線ＡＶ送信装置１で生成される、ＡＶデータを直接イーサネットフレーム化するイーサネットフレームのデータ構成を示す図である。イーサ直載処理部２５は、図１１（ａ）に示すように、ＡＶパケットにデータＤ１を付加する。このデータＤ１は、ＡＶパケットをイーサネット化するために必要な処理（例えば、同期処理、シーケンス処理及びチャネル処理）に関するデータである。
【００８１】
次に、ＤＴＣＰ暗号化処理部１９は、図１１（ｂ）に示すように、ＡＶデータを暗号化した暗号化データ［ＡＶ］ｋと著作権関連情報ｃｐを生成する。次に、イーサフレーム化部２０は、図１１（ｃ）に示すように、イーサネットフレームであることを示す情報（イーサネットヘッダなど）を付加する。
【００８２】
図１０の多重化部２０は、ＲＴＰ／ＵＤＰ／ＩＰを用いた伝送方式のイーサネットフレームと、ＩＰ上の転送プロトコルを用いずにＡＶデータを直接イーサネットフレーム化する伝送方式のイーサネットフレームとを多重化する。多重化したフレームは、無線ＬＡＮ処理部２３と無線ＬＡＮ  Ｉ／Ｆ部２４を介して、無線ネットワーク２（無線ＬＡＮ）に送信される。
【００８３】
図１２は無線ＡＶ受信装置３内の無線ＬＡＮ−ＬＳＩ３１の第２の実施形態の内部構成を示すブロック図である。図１２では、図７と共通する構成部分には同一符号を付しており、以下では相違点を中心に説明する。
【００８４】
図１２の無線ＬＡＮ−ＬＳＩ３１は、ＩＥＥＥ１３９４エミュレーションに関する処理を行わない代わりに、ＩＰ上の転送プロトコルを用いずにＡＶデータが直接イーサネットフレーム化されたイーサネットフレームから元のＡＶデータを抽出するイーサ直載処理部５５を有する。
【００８５】
このイーサ直載処理部５５は、判別処理部４４の後段に接続され、ＤＴＣＰ処理部５６のＤＴＣＰ復号化処理部の機能を使いながら、暗号化されたＡＶデータを復号する。復号後のＡＶデータから、同期化処理等を行って、元のＡＶパケットを抽出する。
【００８６】
図１３は、無線ＡＶ送信装置１から無線ＡＶ受信装置３に、ＩＰ上の転送プロトコルを用いずにＡＶデータを直接イーサネットフレーム化して伝送する場合の処理手順を示すシーケンス図である。まず、無線ＡＶ受信装置３から無線ＡＶ送信装置１に対して、再生コマンド等のＡＶ制御コマンドをＡＶ／Ｃコマンドにて送信する（ステップＳ２１）。このＡＶ／Ｃコマンドも、ＩＰ上の転送プロトコルではなく、イーサネット（あるいは無線ＬＡＮ）上に直接定義されたものであっても良い。
【００８７】
次に、無線ＡＶ送信装置１は、無線ＡＶ受信装置３からの制御コマンドで指示されたＡＶコンテンツのＡＶデータをイーサフレームにて無線ＡＶ受信装置３に送信する。送信するＡＶデータが著作権保護を必要とするデータの場合には、そのＡＶデータをＤＴＣＰ暗号化して送信する（ステップＳ２２，Ｓ２３）。
【００８８】
このＡＶデータを受信した無線ＡＶ受信装置３は、このＡＶデータが著作権保護のために暗号化されていることを、このＡＶデータを受信した時点で把握する。
【００８９】
無線ＡＶ受信装置３は、認証鍵交換を要求するパケットをイーサフレームにて無線ＡＶ送信装置１に送信する（ステップＳ２４）。
【００９０】
この要求に応じる旨の返答が無線ＡＶ送信装置１からあった場合には、両者間で認証鍵交換が行われ（ステップＳ２５）、無線ＡＶ受信装置３は復号鍵を入手する（ステップＳ２６）。そして、この復号鍵を用いて、無線ＡＶ受信装置３は、イーサフレームにて伝送されたＡＶデータを復号する。
【００９１】
このように、第２の実施形態では、ＲＴＰ／ＵＤＰ／ＩＰを用いた伝送方式と、ＩＰ上の転送プロトコルを用いずにＡＶデータを直接イーサネットフレーム化する伝送方式とのいずれで送信されたＡＶデータを、著作権保護を図りつつ受信できるようにしたため、ＡＶデータの有効利用が図れる。また、ＤＴＣＰ処理部が、ＲＴＰ／ＵＤＰ／ＩＰを用いる場合と、イーサネット上に直接定義された転送プロトコルを用いる場合とで共通化されており、大幅なハードウエア、あるいはソフトウエアの共通化が図れ、処理の簡素化、あるいはコストダウンも図れる。
【００９２】
なお、上述した第１及び第２の実施形態を組み合わせることも可能である。すなわち、ＲＴＰ／ＵＤＰ／ＩＰを用いた伝送方式、ＩＥＥＥ１３９４エミュレーションによる伝送方式、及びＩＰ上の転送プロトコルを用いずにＡＶデータを直接イーサネットフレーム化する伝送方式のいずれかで送信されたＡＶデータを、著作権保護を図りつつ受信するようにしてもよい。
【００９３】
上述した各実施形態で説明した無線ＡＶ送信装置１や無線ＡＶ受信装置３は、ハードウェアで構成してもよいし、ソフトウェアで構成してもよい。ソフトウェアで構成する場合には、無線ＡＶ送信装置１や無線ＡＶ受信装置３の機能を実現するプログラムをフロッピーディスクやＣＤ−ＲＯＭ等の記録媒体に収納し、コンピュータに読み込ませて実行させてもよい。記録媒体は、磁気ディスクや光ディスク等の携帯可能なものに限定されず、ハードディスク装置やメモリなどの固定型の記録媒体でもよい。
【００９４】
また、無線ＡＶ送信装置１や無線ＡＶ受信装置３の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００９５】
【発明の効果】
以上詳細に説明したように、本発明によれば、パケット化処理手段で生成されたパケットとＩＰ上の転送プロトコルを用いずにイーサネットフレーム化したパケットのいずれかを、著作権保護を図りつつ送信し、または受信するようにしたため、ＡＶデータの著作権保護を損なわない範囲内でＡＶデータの有効利用が図れる。
【図面の簡単な説明】
【図１】本発明に係るＡＶ通信システムの第１の実施形態の全体構成を示すブロック図。
【図２】本発明に係る無線ＡＶ送信装置１の内部構成の一例を示すブロック図。
【図３】図２の無線ＬＡＮ−ＬＳＩの内部構成の一例を示すブロック図。
【図４】本実施形態の無線ＡＶ送信装置１で生成される、ＲＴＰ／ＵＤＰ／ＩＰパケットを含むイーサネットフレームのデータ構成を示す図。
【図５】図１の無線ＡＶ送信装置１で生成される、ＩＥＥＥ１３９４エミュレーションによるイーサネットフレームのデータ構成を示す図。
【図６】図１の無線ＡＶ受信装置３の内部構成の一例を示すブロック図。
【図７】図２の無線ＬＡＮ−ＬＳＩの内部構成の一例を示すブロック図。
【図８】無線ＡＶ送信装置１から無線ＡＶ受信装置３にＲＴＰ／ＩＰを用いてＡＶデータを転送する場合の処理手順を示すシーケンス図。
【図９】無線ＡＶ送信装置１から無線ＡＶ受信装置３に１３９４エミュレーションを用いてＡＶデータを転送する場合の処理手順を示すシーケンス図。
【図１０】無線ＡＶ送信装置１内の無線ＬＡＮ−ＬＳＩ４の第２の実施形態の内部構成を示すブロック図。
【図１１】図１の無線ＡＶ送信装置１で生成される、ＡＶデータを直接イーサネットフレーム化するイーサネットフレームのデータ構成を示す図。
【図１２】無線ＡＶ受信装置３内の無線ＬＡＮ−ＬＳＩ３１の第２の実施形態の内部構成を示すブロック図。
【図１３】ＩＰ上の転送プロトコルを用いずにＡＶデータを直接イーサネットフレーム化して伝送する場合の処理手順を示すシーケンス図。
【符号の説明】
１  無線ＡＶ送信装置
２  無線ネットワーク
３  無線ＡＶ受信装置
４  無線ＬＡＮ−ＬＳＩ
５  ＭＰＥＧ処理部
１１  ホストＩ／Ｆ部
１２  セレクタ
１３  ＲＴＰ／ＩＰ処理部
１４  １３９４エミュレーション処理部
１５  ＩＥＣ６１８８３／１３９４フレーム処理部
１６  ＡＶ／Ｃフィルタ部
１７  第１のＤＴＣＰ  ＡＫＥ処理部
１８  第２のＤＴＣＰ  ＡＫＥ処理部
１９  ＤＴＣＰ暗号化処理部
２０  多重化部
２１  イーサフレーム化部
２２  無線ＬＡＮ処理部
２３  無線ＬＡＮ  Ｉ／Ｆ部
４１  無線ＬＮ  Ｉ／Ｆ部
４２  無線ＬＡＮ処理部
４３  イーサフレーム処理部
４４  判別処理部
４５  ＩＥＣ６１８８３／１３９４フレーム処理部
４６  第１のＤＴＣＰ  ＡＫＥ処理部
４７  第２のＤＴＣＰ  ＡＫＥ処理部
４８  ＤＴＣＰ復号化処理部
４９  ＲＴＰ／ＩＰ処理部
５１  ＡＶ／Ｃフィルタ部
５２  １３９４エミュレーション処理部
５３  マルチプレクサ
５４  ホストＩ／Ｆ部
【図１】
2004193791.tif 000003
【図２】
2004193791.tif 000004
【図３】
2004193791.tif 000005
【図４】
2004193791.tif 000006
【図５】
2004193791.tif 000007
【図６】
2004193791.tif 000008
【図７】
2004193791.tif 000009
【図８】
2004193791.tif 000010
【図９】
2004193791.tif 000011
【図１０】
2004193791.tif 000012
【図１１】
2004193791.tif 000013
【図１２】
2004193791.tif 000014
【図１３】
2004193791.tif 000015